(57)【要約】【課題】この発明は、電力の供給トラブルを防止することが可能な、地下電力ケーブル防災用シートおよび地下電力ケーブルの防災方法を提供することにある。【解決手段】ポリ塩化ビニールを主成分とし、これにアルミナ、ジルコニア、窒化アルミニウムの少なくとも一つを混合させた混合物を、アラミド繊維からなるシートに含侵させたことを特徴とする地下電力ケーブル防災用シートおよびこれを用いた地下電力ケーブル防災方法。【選択図】図１
2009273344.tif 000002
【特許請求の範囲】
【請求項１】
ポリ塩化ビニールを主成分とし、これにアルミナ、ジルコニア、窒化アルミニウムの少なくとも一つを混合させた混合物を、アラミド繊維からなるシートに含侵させたことを特徴とする地下電力ケーブル防災用シート。
【請求項２】
地下電力ケーブルの防災方法であって、地下に埋設されている電力ケーブルの束を包むアラミド繊維からなる第１の防災シート層、該第１の防災シート層の外側に位置し、前記第１の防災シートを包むアラミド繊維からなる第２の防災シート層、該第２の防災シート層の外側に位置し、前記２の防災シート層を包む、ポリ塩化ビニールを主成分とし、これにアルミナ、ジルコニア、窒化アルミニウムの少なくとも一つを混合させた混合物を、アラミド繊維からなるシートに含侵させたことを特徴とする地下電力ケーブル防災用シートの組み合わせにより、地下電力ケーブルを防災することを特徴とする地下電力ケーブルの防災方法。
【発明の詳細な説明】
【技術分野】
【０００１】  本発明は地下に埋設された電力ケーブルの防災用シートおよびこれを用いた地下電力ケーブルの防災方法に関する。
【背景技術】
【０００２】  防災、景観の改善、路上スペースの確保等の目的で地下に埋設菅によって埋設される地下電力ケーブルには、通電中に何らかの不具合によって、爆発等の事故が発生した場合、その損害を最小限に留めるため、例えば図２に示すように、ケーブル１８をアラミド繊維からなる防災シート１２、１４、１６で３層程度に巻いて処置する方法が用いられている。【０００３】  複数層にシートで巻いた場合、一番外側の最外層シート１２には外部から水分が浸み込まないようにポリ塩化ビニール（ＰＶＣ）のコーティングを施しているのが普通である。通常地下電力ケーブルはその送電時には９０℃以上もの導体温度になる。【０００４】  このため、爆発時等における、防災シートの強度の観点から、最外層シート１２にかかる負荷を軽減させる目的で、地下電力ケーブル１８と第１の防災シート１６の間、第１の防災シート１６と第２の防災シート１４、第２の防災シート１４と、最外層防災シート１２との間には、意図的に多少の隙間Ｓ１、Ｓ２、Ｓ３を設けるようにしてある。
これらの隙間には、防災シートを構成しているアラミド繊維、ポリ塩化ビニール（ＰＶＣ）自体の熱伝導性率が、それぞれ０．０４Ｗ／（ｍ・Ｋ）、０，１７Ｗ（ｍ・Ｋ）と低いため、導体温度が外に逃げ切れず蓄積される。特に、ポリ塩化ビニール（ＰＶＣ）のコーティングが施されている最外層シート１２と隣り合わせの内側の防災シート１４の間の隙間には熱がいっそうこもりやすい。【０００５】  そのため、この部分の温度は６０℃から７０℃の熱が蓄積され、本来必要とされるケーブルのスペックが発揮できない状況になることがあった。
（特許文献１を参照）【０００６】
【特許文献１】特許第３６６３１０３号公報
【特許文献２】特開２００７−２８２３３３
【発明の開示】
【発明が解決しようとする課題】
【０００６】  この発明が解決しようとする課題は、特に最外層の防災シートの放熱性を高めることによって各防災シート間の隙間に熱のこもりを無くし、電力の供給トラブルを防止することが可能な、地下電力ケーブル防災用シートおよび地下電力ケーブルの防災方法を提供することにある。
【課題を解決するための手段】
【０００７】  上記課題を解決するための
請求項１の発明では、ポリ塩化ビニールを主成分とし、これにアルミナ、ジルコニア、窒化アルミニウムの少なくとも一つを混合させた混合物を、アラミド繊維からなるシートに含侵させた地下電力ケーブル防災用シートを特徴とする。
請求項２の発明では、地下電力ケーブルの防災方法であって、地下に埋設されている電力ケーブルの束を包むアラミド繊維からなる第１の防災シート層、該第１の防災シート層の外側に位置し、前記第１の防災シートを包むアラミド繊維からなる第２の防災シート層、該第２の防災シート層の外側に位置し、前記２の防災シート層を包む、ポリ塩化ビニールを主成分とし、これにアルミナ、ジルコニア、窒化アルミニウムの少なくとも一つを混合させた混合物を、アラミド繊維からなるシートに含侵させたことを特徴とする地下電力ケーブル防災用シートの組み合わせ構造による、地下電力ケーブルの防災方法を特徴とする。
【発明の効果】
【０００８】  請求項１発明は、ポリ塩化ビニールを主成分とし、これにアルミナ、ジルコニア、窒化アルミニウムの少なくとも一つを混合させるか、または２種類、３種類すべてを混合させた混合物を、アラミド繊維からなるシートに含侵させた構成としたことにより、耐久性、耐熱性に加え放熱性に優れた地下電力ケーブル用防災シートを提供することができる。【０００９】  請求項２発明は、地下電力ケーブルの防災方法であって、地下に埋設されている電力ケーブルの束を包むアラミド繊維からなる第１の防災シート層、該第１の防災シート層の外側に位置し、前記第１の防災シートを包むアラミド繊維からなる第２の防災シート層、該第２の防災シート層の外側に位置し、前記２の防災シート層を包む、ポリ塩化ビニールを主成分とし、これにアルミナ、ジルコニア、窒化アルミニウムの少なくとも一つを混合させた混合物を、アラミド繊維からなるシートに含侵させたことを特徴とする地下電力ケーブル防災用シートの組み合わせに構成としたため、特に熱がこもりやすい最外層内放熱性を良くし、地下電力ケーブルのスペックを確実に確保することができる。
【発明を実施するための最良の形態】
【実施例１】
【００１０】  以下にこの発明の地下電力ケーブル用防災シートの好適実施例について、図面を参照しながら説明する。
図１は実施例１の地下電力ケーブル用防災シートと防災方法を示す地下電力ケーブルの埋設状態をしめす断面図である。【００１１】  図１において、１は地下に埋設された管路である、管路１の中心部にはケーブル５配置され、該ケーブル５の周りは、アラミド繊維からなる第１の防災シート４が巻かれケーブル５を包み込んでいる。該第１の防災シート４の外側には、同じようにアラミド繊維からなる第２の防災シート３が巻かれ第１の防災シート４を包み込んでいる。そして、前記第２の防災シート３の外側には最外層シート２が巻かれ、第２の防災シート３を包みこんでいる。【００１２】  該最外層防災シート２は、前記第１の防災シート４および第２の防災シート３とは異なり、アラミド繊維からなるシートに主成分としてポリ塩化ビニール、これに、アルミナ、ジルコニア、窒化アウルミニウム、のいずれか１成分、又は２成分、あるいは３成分すべてを混合させたものを含浸させたもが有効である。【００１３】  アルミナ、ジルコニア、窒化アウルミニウム、はいずれも熱伝導率が高く、いわゆる放熱性が高いので、篭り熱が溜りやすい最外層シート２と該最外層シート２と隣合わせの内側の防災シートで構成される隙間部分の温度の上昇があっても管路１の側に放熱され、前記隙間部分の温度の上昇が少ない。【００１４】  尚、本実施例ではアラミド繊維からなるシート２を２層用いたが、場合によってはこれに限定されず第１の防災シート４と最外層の防災シート２の２層構成としてもよい。【００１５】  以上のような構成のため、耐久性、耐熱性に加え放熱性に優れた地下電力ケーブル用防災シートを提供することができるとともに、地下電力ケーブルのスペックを確実に確保することができる。【００１６】  なお、この発明は、上記実施例に限定されるものではなく、要旨を変更しない範囲で種々設計しうること勿論である。
【図面の簡単な説明】
【００１７】
【図１】  実施例１の地下電力ケーブル防災用シートおよび地下電力ケーブルの防災方法蒸用シートを示す構成断面図である。
【図２】  従来の地下電力ケーブル防災用シートおよび地下電力ケーブルの防災方法蒸用シートを示す構成断面図である。
【符号の説明】
【００１８】  １    管路
２    最外層防災シート
３    第２の防災シート
４    第１の防災シート
５    ケーブル
【図１】
2009273344.tif 000003
【図２】
2009273344.tif 000004